(57)【要約】【課題】固定用軸具を抜き取ることなく取り外すとともに、プラグをプラグ抜け防止器具から容易に取り外すことができるプラグ抜け防止器具を提供すること。【解決手段】機器１のジャック部に差し込んだＤＣプラグ２の後方に、ＤＣプラグ２の軸と直交するように立設される保持プレート３と、保持プレート３からＤＣプラグ２の引き抜き側に延設された１対のベースプレート４とを備え、保持プレート３に、ＤＣプラグ２の基部２１に係合する一部が開放された保持溝５を形成するとともに、各ベースプレート４に、固定用軸具６の軸６１が摺動可能に嵌挿されるＤＣプラグ２の引き抜き方向の長溝７と、この長溝７と連通し一部が開放された抜き溝８とを形成する。【選択図】図１
2006147382.tif 000002
【特許請求の範囲】
【請求項１】
機器のジャック部に差し込んだプラグの後方に立設する保持プレートと、該保持プレートからプラグの引き抜き側に延設されたベースプレートとを備え、前記保持プレートに、プラグの基部に係合する一部が開放された保持溝を形成するとともに、前記ベースプレートに、固定用軸具の軸が摺動可能に嵌挿されるプラグの引き抜き方向の長溝と、該長溝と連通し一部が開放された抜き溝とを形成したことを特徴とするプラグ抜け防止器具。
【請求項２】
１対のベースプレートをプラグ保持位置の両側に並設したことを特徴とする請求項１記載のプラグ抜け防止器具。
【発明の詳細な説明】
【技術分野】
【０００１】
本発明は、プラグ抜け防止器具に関し、特に、固定用軸具を抜き取ることなく取り外すとともに、プラグをプラグ抜け防止器具から容易に取り外すことができるプラグ抜け防止器具に関するものである。
【背景技術】
【０００２】
例えば、電子機器等に直流電源を供給するためには、機器に配設したジャックにＡＣアダプタのＤＣプラグを差し込んで接続するが、機器の交換やＤＣプラグの交換の際には、ＤＣプラグを１度抜き差ししなければならない。
【０００３】
その際、ＤＣプラグ抜け防止器具を使用している場合は、このプラグ抜け防止器具をＤＣプラグと一緒に取り外す必要があり、その場合には、プラグ抜け防止器具を固定しているビス等を完全に抜き取ることとなり、さらに器具の付近に配線等がある場合には工具の使用の妨げにもなり、その作業は容易ではない。
【発明の開示】
【発明が解決しようとする課題】
【０００４】
本発明は、上記従来のプラグ抜け防止器具が有する問題点に鑑み、固定用軸具を抜き取ることなく取り外すとともに、プラグをプラグ抜け防止器具から容易に取り外すことができるプラグ抜け防止器具を提供することを目的とする。
【課題を解決するための手段】
【０００５】
上記目的を達成するため、本発明のプラグ抜け防止器具は、機器のジャック部に差し込んだプラグの後方に立設する保持プレートと、該保持プレートからプラグの引き抜き側に延設されたベースプレートとを備え、前記保持プレートに、プラグの基部に係合する一部が開放された保持溝を形成するとともに、前記ベースプレートに、固定用軸具の軸が摺動可能に嵌挿されるプラグの引き抜き方向の長溝と、該長溝と連通し一部が開放された抜き溝とを形成したことを特徴とする。
【０００６】
この場合において、１対のベースプレートをプラグ保持位置の両側に並設することができる。
【発明の効果】
【０００７】
本発明のプラグ抜け防止器具によれば、機器のジャック部に差し込んだプラグの後方に立設する保持プレートと、該保持プレートからプラグの引き抜き側に延設されたベースプレートとを備え、前記保持プレートに、プラグの基部に係合する一部が開放された保持溝を形成するとともに、前記ベースプレートに、固定用軸具の軸が摺動可能に嵌挿されるプラグの引き抜き方向の長溝と、該長溝と連通し一部が開放された抜き溝とを形成することから、保持プレートの保持溝でプラグの基部を保持しながら、ベースプレートを長溝を介してビス等の固定用軸具で台等に固定することにより、プラグの抜けを防止することができる。
そして、プラグを引き抜くときには、固定用軸具を緩めてプラグ抜け防止器具を引き抜き側にスライドさせ、抜き溝から固定用軸具を抜くことにより、固定用軸具を抜き取ることなくプラグ抜け防止器具を取り外すことができ、また、プラグは保持溝をスライドさせて開放側から抜くことにより、容易にプラグ抜け防止器具から取り外すことができる。
【０００８】
この場合、１対のベースプレートをプラグ保持位置の両側に並設することにより、プラグ抜け防止器具の安定した固定を図るとともに、長溝をプラグから外れた位置に形成して、固定用軸具を操作しやすくすることができる。
【発明を実施するための最良の形態】
【０００９】
以下、本発明のプラグ抜け防止器具の実施の形態を、図面に基づいて説明する。
【実施例１】
【００１０】
図１〜図３に、本発明のプラグ抜け防止器具の一実施例を示す。
このプラグ抜け防止器具は、機器１のジャック部（図示省略）に差し込んだＤＣプラグ２の後方に、ＤＣプラグ２の軸と直交するように立設される保持プレート３と、該保持プレート３からＤＣプラグ２の引き抜き側に延設された１対のベースプレート４とを備えている。
保持プレート３には、ＤＣプラグ２の基部２１に係合する一部が開放された保持溝５が形成されるとともに、各ベースプレート４には、固定用軸具６の軸６１が摺動可能に嵌挿されるＤＣプラグ２の引き抜き方向の長溝７と、該長溝７と連通し一部が開放された抜き溝８とが形成されている。
【００１１】
保持プレート３は、ベースプレート４を折曲して起立した金属板からなり、一方の側縁から中央部にかけて、略水平に前記保持溝５が形成されている。
保持溝５は、ＤＣプラグ２の頭部２２の幅より狭くコード２３の幅より広い一定の幅に形成され、テーパ状に形成されたＤＣプラグ２の基部２１に後方から係合する。
保持プレート３は、図２（ａ）に示すように、ＤＣプラグ２の基部２１が蛇腹状の場合は保持溝５が襞に嵌合し、図２（ｂ）に示すように、襞がない場合はプラグ基部２１のテーパ部が保持溝５に挟み込まれる。
また、ＤＣプラグ２がＬ型プラグの場合は、図２（ｃ）に示すように、保持プレート３自体をＬ型ＤＣプラグ２の背部に当接させることにより、Ｌ型ＤＣプラグ２を差込位置で保持して抜け止めを図ることができる。
【００１２】
一方、ベースプレート４は、プラグ保持位置の両側に並設されており、各ベースプレート４の長溝７の先端側には、横方向の抜き溝８が同じ側に形成されている。
長溝７と抜き溝８は、固定用軸具６であるビスの頭部の幅より狭く軸６１の幅より広い一定の幅にそれぞれ形成されており、また、長溝７は、ＤＣプラグ２の差込代より長く形成されている。
【００１３】
次に、本実施例のプラグ抜け防止器具の使用方法を説明する。
図２に示すように、ストレートタイプのＤＣプラグ２の基部２１を保持溝５に挟み込み、ＤＣプラグ本体を支持する。
この場合、図２（ａ）に示すように、ＤＣプラグ２の基部２１が蛇腹状の場合は保持溝５が襞に嵌合し、図２（ｂ）に示すように、襞がない場合はプラグ基部２１のテーパ部が保持溝５に挟み込まれる。
また、ＤＣプラグ２がＬ型プラグの場合は、図２（ｃ）に示すように、保持プレート３自体をＬ型ＤＣプラグ２の背部に当接させることにより、Ｌ型ＤＣプラグ２を差込位置で保持して抜け止めを図ることができ、このように、様々な種類のＤＣプラグ２を使用対象とすることができる。
【００１４】
一方、ＤＣプラグ２を抜き差しする際は、図３に示すように、プラグ抜け防止器具を固定している固定用軸具６を緩め、長溝７を利用してＤＣプラグ２の差込又は引き抜き方向にスライドさせ、固定用軸具６が抜き溝８の位置まで来るようにプラグ抜け防止器具を移動させる。
そして、この状態でプラグ抜け防止器具を抜き溝８と反対側にスライドさせることにより、プラグ抜け防止器具をＤＣプラグ２と一緒に取り外すことが可能である。
【００１５】
次に、プラグ抜け防止器具の取付例を説明する。
直流電源が供給される機器１と、該機器１に直流電源を供給するＤＣプラグ２との位置関係は、図３に示す通りである。
ＤＣプラグ２及びプラグ抜け防止器具を取り外す方法については、上記したように、固定用軸具６を緩めて、プラグ抜け防止器具をスライドさせることで可能である。
通常、ＤＣプラグ２を挿入するジャック部は、通常は機器１の底面より上にあるため、プラグ抜け防止器具を取り付ける際には、図３（ｂ）に示すように、スペーサとしてボス９等を設置し、そのボス９にプラグ抜け防止器具をビス等の固定用軸具６で固定する。
【００１６】
かくして、本実施例のプラグ抜け防止器具は、機器１のジャック部に差し込んだＤＣプラグ２の後方に立設する保持プレート３と、該保持プレート３からＤＣプラグ２の引き抜き側に延設されたベースプレート４とを備え、前記保持プレート３に、ＤＣプラグ２の基部２１に係合する一部が開放された保持溝５を形成するとともに、前記ベースプレート４に、固定用軸具６の軸６１が摺動可能に嵌挿されるＤＣプラグ２の引き抜き方向の長溝７と、該長溝７と連通し一部が開放された抜き溝８とを形成することから、保持プレート３の保持溝５でＤＣプラグ２の基部２１を保持しながら、ベースプレート４を長溝７を介してビス等の固定用軸具６で台等に固定することにより、ＤＣプラグ２の抜けを防止することができる。
そして、ＤＣプラグ２を引き抜くときには、固定用軸具６を緩めてプラグ抜け防止器具を引き抜き側にスライドさせ、抜き溝８から固定用軸具６を抜くことにより、固定用軸具６を抜き取ることなくプラグ抜け防止器具を取り外すことができ、また、ＤＣプラグ２は保持溝５をスライドさせて開放側から抜くことにより、容易にプラグ抜け防止器具から取り外すことができる。
また、１対のベースプレート４をプラグ保持位置の両側に並設することにより、プラグ抜け防止器具の安定した固定を図るとともに、長溝７をＤＣプラグ２から外れた位置に形成して、固定用軸具６を操作しやすくすることができる。
【００１７】
以上、本発明のプラグ抜け防止器具について、その実施例に基づいて説明したが、本発明は上記実施例に記載した構成に限定されるものではなく、実施例に記載した構成を適宜組み合わせたり、ＤＣプラグ以外のプラグにも適用しうるなど、その趣旨を逸脱しない範囲において適宜その構成を変更することができる。
【産業上の利用可能性】
【００１８】
以上、本発明のプラグ抜け防止器具は、固定用軸具を抜き取ることなく取り外すとともに、プラグをプラグ抜け防止器具から容易に取り外すという特性を有していることから、ＤＣプラグ等のプラグの抜け止めの用途に好適に用いることができる。
【図面の簡単な説明】
【００１９】
【図１】本発明のプラグ抜け防止器具の一実施例を示し、（ａ）は平面図、（ｂ）は背面図、（ｃ）は側面図である。
【図２】同実施例のプラグ抜け防止器具を示し、（ａ）は保持溝と蛇腹付きプラグの係合を示す断面図、（ｂ）は保持溝と蛇腹なしプラグの係合を示す断面図、（ｃ）は保持プレートとＬ型プラグの係合を示す平面図である。
【図３】同プラグ抜け防止器具の取付例を示し、（ａ）はその平面図、（ｂ）はその側面図である。
【符号の説明】
【００２０】
１    機器
２    プラグ
２１  基部
２２  頭部
２３  コード
３    保持プレート
４    ベースプレート
５    保持溝
６    固定用軸具
６１  軸
７    長溝
８    抜き溝
９    ボス
【図１】
2006147382.tif 000003
【図２】
2006147382.tif 000004
【図３】
2006147382.tif 000005